(57)【要約】【課題】タッチパネルの上面にカバーを設けることで、タッチパネルの長寿命化を図る表示装置を提供する。【解決手段】ソフトキーＳを表示させる表示部１０１と、前記表示部１０１の表面に前記ソフトキーＳを押圧操作するタッチパネル１０２を備えた表示装置１００であって、前記ソフトキーＳの表面領域に対応する操作領域Ａ１の表面高さが非操作領域Ａ２の表面高さより高くなるように構成された保護カバー１０３を前記タッチパネル１０２の表面に備えた。【選択図】図３
2008242578.tif 000002
【特許請求の範囲】
【請求項１】
ソフトキーを表示させる表示部と、前記表示部の表面に前記ソフトキーを押圧操作するタッチパネルを備えた表示装置であって、
前記ソフトキーの表面領域に対応する操作領域の表面高さが非操作領域の表面高さより高くなるように構成された保護カバーを前記タッチパネルの表面に備えた表示装置。
【請求項２】
前記保護カバーは、前記操作領域に空洞部が形成されている請求項１記載の表示装置。
【請求項３】
前記保護カバーは、前記操作領域が前記非操作領域よりも厚肉に形成されている請求項１記載の表示装置。
【請求項４】
前記保護カバーは、前記操作領域の前記タッチパネルと対向する面に前記タッチパネルを押圧する突起が形成されている請求項１記載の表示装置。
【請求項５】
前記保護カバーが前記タッチパネルに対して着脱可能に取り付けられている請求項１から請求項４の何れかに記載の表示装置。
【請求項６】
前記保護カバーのうち、前記非操作領域が不透明で構成されている請求項１から請求項５の何れかに記載の表示装置。
【請求項７】
請求項１から請求項６の何れかに記載の表示装置を備えた画像形成装置。
【発明の詳細な説明】
【技術分野】
【０００１】
本発明は、保護カバーを前記タッチパネルの表面に備えた表示装置に関する。
【背景技術】
【０００２】
近年、プリンタ機能、ファクシミリ機能、スキャナ機能やコピー機能等を備えた多機能複合機、プリンタやファックス等において操作部としてタッチパネルに操作キーを配置する構成が増えている。
【０００３】
例えば、多機能複合機であれば機能ごとに操作キーを配置する必要がありタッチパネルには多数の操作キーが配置される。しかし、操作者は、タッチパネルに表示された多数の操作キーから必要なキーを選び操作を行わなくてはいけないため、このとき操作者は何れの操作キーを選択すればいいのか戸惑ってしまうという問題もあった。
【０００４】
そこで、特許文献１では、使用者の戸惑いを緩和することができるとともに、外観上において事務機器的要素を極力排除するために、装置を操作する操作キーを本体ケース表面に複数個設け、同本体ケース上にはカバーを開閉可能に設けて、前記カバーの閉鎖時に前記操作キーの全部若くは大半を隠蔽するように構成し、前記カバーにはその閉鎖時にスタートキー及び、ストップキーを露出させるための挿通孔を形成したことを特徴とするファクシミリ装置が提案されている。
【０００５】
【特許文献１】実開平０５−５０８６０号公報
【発明の開示】
【発明が解決しようとする課題】
【０００６】
しかし、上述した特許文献１に記載のファクシミリ装置では、タッチパネルなどの表示装置に操作キーが設けられている場合、当該操作キーを露出させるために設けられた挿通孔をよりキー操作を行うため、挿通孔に指を挿入しキーを押圧しなくてはいけない。ボタンキーのように表面が突出したキーであれば、容易に操作キーを押下することができるが、平面であるタッチパネルの場合、操作キーを押下しづらくなるという問題があった。
【０００７】
また、表示装置として、タッチパネルを備えている場合、前記タッチパネルを押下するとき、ボールペンやシャープペンシルのような先の尖ったものを用いて操作すると、前記タッチパネルは破損し導通不良や接触不良を起こすという問題があった。
【０００８】
本発明は、上述した従来の問題点に鑑み、タッチパネルの上面にカバーを設けることで、タッチパネルの長寿命化を図る表示装置を提供する点にある。また、タッチパネルの上面にカバーを設けることで、最小限の操作キーのみ露出させることで操作性を向上させ、さらに、前記カバーを外装の色とあわせることでインテリアとしても調和がとれる表示装置を提供する点にある。
【課題を解決するための手段】
【０００９】
上述の目的を達成するため、本発明による表示装置の第一の特徴構成は、特許請求の範囲の書類の請求項１に記載した通り、ソフトキーを表示させる表示部と、前記表示部の表面に前記ソフトキーを押圧操作するタッチパネルを備えた表示装置であって、前記ソフトキーの表面領域に対応する操作領域の表面高さが非操作領域の表面高さより高くなるように構成された保護カバーを前記タッチパネルの表面に備えた点にある。
【００１０】
上述の構成によれば、前記保護カバーはソフトキーが表示されている操作領域の表面高さが非操作領域の表面高さより高く構成されているため、ボールペンやシャープペンシル等の先端の尖ったものでソフトキーを押下しても、前記保護カバーにより直接タッチパネルに触れることなくソフトキーを押下することができるため、前記タッチパネルを破損させることがないため導通不良や接触不良などの発生を防ぐことができる。さらに、操作領域の表面高さが非操作領域の表面高さより高く構成されているため、ソフトキーの位置を容易に認識することができる。
【００１１】
同第二の特徴構成は、同請求項２に記載した通り、上述の第一の特徴構成に加えて、前記保護カバーは、前記操作領域に空洞部が形成されている点にある。
【００１２】
上述の構成によれば、前記操作領域に空洞部が形成されることで、操作者は、選択したいソフトキーが押下されているか否かの操作感を得ることができる。
【００１３】
同第三の特徴構成は、同請求項３に記載した通り、上述の第一の特徴構成に加えて、前記保護カバーは、前記操作領域が前記非操作領域よりも厚肉に形成されている点にある。
【００１４】
上述の構成によれば、前記操作領域が前記非操作領域よりも厚肉に形成されることで、前記操作領域は前記非操作領域よりも耐久性が高く、先端の尖ったボールペンやシャープペンシル等で選択したいソフトキーを押下した場合であっても、前記タッチパネルを破損させることがないため導通不良や接触不良などの発生を防ぐことができる。
【００１５】
同第四の特徴構成は、同請求項４に記載した通り、上述の第一の特徴構成に加えて、前記保護カバーは、前記操作領域の前記タッチパネルと対向する面に前記タッチパネルを押圧する突起が形成されている点にある。
【００１６】
上述の構成によれば、前記操作領域となる場所の前記保護カバーの前記タッチパネルと対向する面に突起を形成することにより、前記操作領域の何れの箇所を押圧した場合であっても、前記突起により確実にタッチパネルを押圧することができる。
【００１７】
同第五の特徴構成は、同請求項５に記載した通り、上述の第一から第四の何れかの特徴構成に加えて、前記保護カバーが前記タッチパネルに対して着脱可能に取り付けられている点にある。
【００１８】
上述の構成によれば、前記保護カバーが必要ない場合、前記保護カバーを前記タッチパネルより自在に取り外しが行えるため、操作者の必要に応じて取り付けや取り外しを行うことができる。
【００１９】
同第六の特徴構成は、同請求項６に記載した通り、上述の第一から第五の何れかの特徴構成に加えて、前記保護カバーのうち、前記非操作領域が不透明で構成されている点にある。
【００２０】
上述の構成によれば、前記保護カバーの前記非操作領域が不透明で構成されているため、表示部に表示されたソフトキーのうち操作者に必要なソフトキーのみを表示することができ、操作性を向上させることができる。さらに、例えば、前記非操作領域を表示装置の外装と同色にすることにより、前記表示装置とタッチパネルが一体となるように見えるため、外観上においてインテリア性を向上させることができる。
【００２１】
本発明による画像形成装置の第一の特徴構成は、特許請求の範囲の書類の請求項７に記載した通り、請求項１から請求項６の何れかに記載の表示装置を備えた点にある。
【発明の効果】
【００２２】
以上説明した通り、本発明によれば、タッチパネルの上面にカバーを設けることで、タッチパネルの長寿命化を図る表示装置を提供する点にある。また、タッチパネルの上面にカバーを設けることで、最小限の操作キーのみ露出させることで操作性を向上させ、さらに、前記カバーを外装の色とあわせることでインテリアとしても調和がとれる表示装置を提供することができるようになった。
【発明を実施するための最良の形態】
【００２３】
以下に本発明による表示装置について説明する。表示装置１００は、図１に示すように、画像形成装置の一例であるデジタル複合機１に組み込まれている。当該複合機１は、ソフトキーを表示させる表示装置１００やハードウェアキー等が配置された操作部１０と、原稿載置部にセットされた一連の原稿を順次読込んで電子データに変換する画像読取部１１と、変換された原稿の画像データを出力画像データに変換生成する画像処理部１２と、画像処理部１２により生成された出力画像データに基づいて感光体上にトナー像を形成する電子写真方式の画像形成部１３と、画像形成部１３に供給する用紙が収容された給紙カセット１４等を備えて構成され、上述した各機能ブロックを統括制御するシステム制御部１５を備えている。
【００２４】
前記操作部１０は、前記画像読取部１１の手前側に配置され、図２に示すように、左側に前記表示装置１００を備え、また右側に種々の操作入力キー群２０を備えている。前記操作入力キー群２０は、例えば、コピー枚数などを設定する数値入力キー２１、スタートキー２２、クリア／ストップキー２３、カーソルキー２４、リセットキー２５等の複写動作の基本制御キー群と、特殊モード設定キー２６等により構成されている。
【００２５】
前記表示装置１００は、長方形のソフトキーＳを表示するタッチパネル式の表示装置であって、図３（図２におけるＡ−Ａ断面図）に示すように、前記ソフトキーＳを表示させる前記表示部１０１と、前記表示部１０１の表面を押圧操作するタッチパネル１０２と、前記タッチパネル１０２の表面に前記タッチパネル１０２を保護するためのポリエステルフィルムで構成された保護カバー１０３とを備えて構成されている。前記保護カバー１０３は、前記タッチパネル１０２に対して着脱可能に取り付けられている。
【００２６】
前記保護カバー１０３には、図２及び図３に示すように、前記ソフトキーＳの表面領域に対応する長方形の操作領域Ａ１に空洞部１０４が形成されている。前記保護カバー１０３を前記タッチパネル１０２に装着するとき前記空洞部１０４には空気が入り空気の層ができるため、前記保護カバー１０３は、前記ソフトキーＳの表面領域に対応する操作領域Ａ１の表面高さが非操作領域Ａ２の表面高さより高くなる。
【００２７】
前記表示装置１００は、図２及び図３に示すように、表示されているソフトキーＳの表示領域に対する操作領域Ａ１以外の非操作領域Ａ２において、前記複合機１の化粧パネル色と同じ不透明色となるように構成されている。
【００２８】
前記非操作領域Ａ２は、化粧パネルと同じ不透明色で構成されているため、前記表示部１０１に操作者にとって不要なソフトキーが表示されている場合であっても、当該操作者は必要最低限のソフトキーのみを認識することができる。また、前記保護カバー１０３は着脱可能であるので、操作者が必要最低限のソフトキー以外のソフトキーを利用したい場合は、前記保護カバー１０３を取り外すことができる。
【００２９】
以下、別実施形態について説明する。
【００３０】
上述の実施形態では、前記保護カバー１０３はポリエステルフィルムで構成されたものを説明したが、例えば、ポリウレタンフィルム等の公知の樹脂フィルムで構成されてもよい。
【００３１】
上述の実施形態では、前記ソフトキーＳの表面領域に対応する操作領域Ａ１に空洞部１０４を形成し、前記ソフトキーＳの表面領域に対応する操作領域Ａ１の表面高さが非操作領域Ａ２の表面高さより高くなるように構成された前記保護カバー１０３について説明したが、図４（ａ）に示すように、前記操作領域Ａ１が前記非操作領域Ａ２よりも厚肉に形成されていてもよい。
【００３２】
前記操作領域が前記非操作領域よりも厚肉に形成されることで、前記操作領域は前記非操作領域よりも耐久性が高く、先端の尖ったボールペンやシャープペンシル等で選択したいソフトキーを押下した場合であっても、前記タッチパネルを破損させることがないため導通不良や接触不良などの発生を防ぐことができる。
【００３３】
上述の実施形態では、前記ソフトキーＳの表面領域に対応する操作領域Ａ１に空洞部１０４を形成し、前記ソフトキーＳの表面領域に対応する操作領域Ａ１の表面高さが非操作領域Ａ２の表面高さより高くなるように構成された前記保護カバー１０３について説明したが、図４（ｂ）に示すように、前記操作領域Ａ１の前記タッチパネルと対向する面に前記タッチパネル１０２を押圧する突起１０５が形成されてもよい。
【００３４】
前記操作領域となる場所の前記保護カバーの前記タッチパネルと対向する面に突起を形成することにより、図４（ｂ）に示すように、前記操作領域の何れの箇所を指やボールペン等で押圧した場合であっても、前記突起により確実にタッチパネルを押圧することができる。
【００３５】
上述の実施形態では、前記操作領域Ａ１が長方形のものを説明したが、前記操作領域は楕円形や円形等であってもよい。
【００３６】
上述の実施形態は何れも本発明の一実施例に過ぎず、当該記載により本発明の範囲が限定されるものではなく、各部の具体的構成は本発明による作用効果を奏する範囲において適宜変更することができることは言うまでもない。
【図面の簡単な説明】
【００３７】
【図１】複合機の説明図
【図２】本実施例における表示装置の説明図
【図３】本実施例における表示装置の要部説明図
【図４】（ａ）は別実施例における表示装置の要部説明図，（ｂ）は別実施例における表示装置の要部説明図
【符号の説明】
【００３８】
１００：表示装置
１０１：液晶表示部
１０２：タッチパネル
１０３：保護カバー
１０４：空洞部
【図１】
2008242578.tif 000003
【図３】
2008242578.tif 000004
【図４】
2008242578.tif 000005
【図２】
2008242578.tif 000006